(57)【要約】      （修正有）【課題】アイドルストップ車両の実効燃費のさらなる向上を実現する。【解決手段】少なくとも車速が閾値以下となったことを条件として内燃機関のアイドリングを停止するにあたり、車両が所在している路面が下り勾配の場合には、そうでない場合と比較して前記閾値を高く設定することとした。車両が降坂路上にあるときには、内燃機関の運転を停止したとしても、車両はなお走り続けようとし、即時には停止しない。これにより、降坂路上において、内燃機関の気筒に燃料を供給しないアイドルストップ期間を実効的に延長することが可能であり、燃費の一層の向上に寄与し得る。【選択図】図３
2014040805.tif 000002
【特許請求の範囲】
【請求項１】
少なくとも車速が閾値以下となったことを条件として内燃機関のアイドリングを停止する車両を制御するものであって、
車両が所在している路面が下り勾配の場合には、そうでない場合と比較して前記閾値を高く設定することを特徴とするアイドルストップ車両の制御装置。
【請求項２】
車両が所在している路面の下り勾配の度合いが大きいほど前記閾値を高く設定する請求項１記載のアイドルストップ車両の制御装置。
【請求項３】
少なくともエンジン回転数が燃料カット許可回転数以上ある状況でアクセルペダルの踏込量が０または０に近い所定値以下となったことを条件として内燃機関の気筒への燃料供給を遮断する燃料カットを行うするとともに、
車両が所在している路面が下り勾配の場合には、燃料カットの開始後内燃機関が停止する前に内燃機関と車軸との間に介在するトルクコンバータのロックアップを解除し、かつ内燃機関の停止まで燃料供給を再開しない請求項１または２記載のアイドルストップ車両の制御装置。
【発明の詳細な説明】
【技術分野】
【０００１】
本発明は、アイドルストップ車両を制御する制御装置に関する。
【背景技術】
【０００２】
信号待ち等、車両の一時停車時に内燃機関のアイドル回転を停止させて燃費の向上を図るアイドリングストップシステムが周知である（例えば、下記特許文献を参照）。アイドリングストップシステムでは、車速が所定以下で、ブレーキペダルが踏み込まれており、冷却水温及びバッテリ電圧が十分高い、といった諸条件が成立したときに、内燃機関を自動的に停止させる。そして、アイドルストップの後、運転者がブレーキペダルから足を離す、またはアクセルペダルを踏み込む等の再始動要求があったときに、スタータモータのピニオンギアをフライホイール（ＭＴ車の場合）またはドライブプレート（ＡＴ車の場合）外周のリングギアに噛合させ、クランキングを行い機関を再始動する。
【先行技術文献】
【特許文献】
【０００３】
【特許文献１】特開２０１２−１３７０１８号公報
【発明の概要】
【発明が解決しようとする課題】
【０００４】
現状では、アイドルストップを開始するための車速の条件を時速７ｋｍ／ｈ以下としているが、さらに早い段階から、即ち車速が高い状態からアイドルストップを開始するようにすれば、燃費性能のより一層の向上を見込める。
【０００５】
本発明は、アイドルストップ車両の燃費のさらなる追求を所期の目的としている。
【課題を解決するための手段】
【０００６】
車両が下り勾配の路面上に所在しているときには、内燃機関の運転を停止したとしても、車両はなお走り続けようとし、即時には停止しない。そこで、本発明では、少なくとも車速が閾値以下となったことを条件として内燃機関のアイドリングを停止する車両を制御するものであって、車両が所在している路面が下り勾配の場合には、そうでない場合と比較して前記閾値を高く設定することを特徴とするアイドルストップ車両の制御装置を構成した。このようなものであれば、アイドルストップ期間を実効的に延長することができ、燃費のより一層の向上に寄与し得る。
【０００７】
前記閾値は、車両が所在している路面の下り勾配の度合いが大きいほど高く設定することが好ましい。
【０００８】
また、少なくともエンジン回転数が燃料カット許可回転数以上ある状況でアクセルペダルの踏込量が０または０に近い所定値以下となったことを条件として内燃機関の気筒への燃料供給を遮断する燃料カットを行うとともに、車両が所在している路面が下り勾配の場合には、燃料カットの開始後内燃機関が停止する前に内燃機関と車軸との間に介在するトルクコンバータのロックアップを解除し、かつ内燃機関の停止まで燃料供給を再開しないものとすれば、停止しようとする内燃機関と車軸との（トルクコンバータのロックアップによる）直結を切り離して車両をより長い時間惰性で走行させることができ、アイドルストップ期間をさらに延長することが可能となる。
【発明の効果】
【０００９】
本発明によれば、アイドルストップ車両の燃費のさらなる向上を期待できる。
【図面の簡単な説明】
【００１０】
【図１】本発明の一実施形態における車両用内燃機関の全体構成を示す図。
【図２】同実施形態における駆動系の構成を示す図。
【図３】同実施形態の制御装置が実施する処理の手順例を示すフロー図。
【図４】降坂路上、並びに、平坦路上または登坂路上での減速時のエンジン回転数の推移を例示する図。
【発明を実施するための形態】
【００１１】
本発明の一実施形態を、図面を参照して説明する。図１に、本実施形態における車両用内燃機関の概要を示す。
【００１２】
本実施形態における内燃機関は、火花点火式ガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１３】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１４】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１５】
図２に、車両が備える駆動系の例を示す。この駆動系は、トルクコンバータ７及び自動変速機８、９を備えてなる。特に、本実施形態では、自動変速機８、９の構成要素として、遊星歯車機構を利用した前後進切換装置８、及び無段変速機の一種であるベルト式ＣＶＴ（Ｃｏｎｔｉｎｕｏｕｓｌｙ  Ｖａｒｉａｂｌｅ  Ｔｒａｎｓｍｉｓｓｉｏｎ）９を採用している。
【００１６】
内燃機関が出力する回転トルクは、内燃機関のクランクシャフトからトルクコンバータ７の入力側のポンプインペラ７１に入力され、出力側のタービンランナ７２に伝達される。タービンランナ７２の回転は、前後進切換装置８を介してＣＶＴ９の駆動軸９４に伝わり、ＣＶＴ９における変速を経て従動軸９５を回転させる。従動軸９５の回転は、出力ギア１０１に伝達される。出力ギア１０１は、デファレンシャル装置のリングギア１０２と噛合し、デファレンシャル装置を介して車軸１０３及び駆動輪（図示せず）を回転させる。
【００１７】
トルクコンバータ７は、ロックアップ機構を備える。ロックアップ機構は、この分野では既知のもので、トルクコンバータ７の入力側と出力側とを相対回動不能に締結するロックアップクラッチ７３と、ロックアップクラッチ７３を断接切換駆動するための作動液圧（油圧）を制御するロックアップソレノイドバルブ（図示せず）とを要素とする。ロックアップソレノイドバルブは、制御信号ｌを受けてその開度を変化させる流量制御弁である。
【００１８】
トルクコンバータ７のロックアップ時、ロックアップクラッチ７３はトルクコンバータカバー７４に押し付けられ、トルクコンバータカバー７４と一体となって回転する。ロックアップ時、トルクコンバータ７の入力側（のドライブプレート）に入力された機関のトルクは、トルクコンバータカバー７４からロックアップクラッチ７３を経由してトルクコンバータ７の出力側、ひいては前後進切換装置８に直接伝達される。ロックアップ時、トルクコンバータ７の出力側回転数の入力側回転数に対する比である速度比は１となる。
【００１９】
翻って、非ロックアップ時には、ロックアップクラッチ７３がトルクコンバータカバー７４から離反する。非ロックアップ時、トルクコンバータ７の入力側に入力された機関のトルクは、トルクコンバータカバー７４からポンプインペラ７１、タービン７２へと伝わり、前後進切換装置８に伝達される。非ロックアップ時、トルクコンバータ７の速度比は、駆動状態に応じて１よりも小さくなったり大きくなったりする。
【００２０】
前後進切換装置８は、そのサンギア８１がタービンランナ７２と連絡し、リングギア８２が駆動軸９４と連絡している。プラネタリギア８３１を支持するプラネタリキャリア８３と変速機ケースとの間には、断接切換可能な液圧クラッチたるフォワードブレーキ８４を介設している。また、プラネタリキャリア８３とサンギア８１（または、トルクコンバータ７の出力側）との間にも、断接切換可能な液圧クラッチたるリバースクラッチ８５を介設している。
【００２１】
走行レンジのうちのＤレンジでは、フォワードブレーキ８４を締結し、リバースクラッチ８５を切断する。これにより、トルクコンバータ７の出力軸の回転が逆転されかつ減速されて駆動軸９４に伝達され、前進走行となる。翻って、Ｒレンジでは、リバースクラッチ８５を締結し、フォワードブレーキ８４を切断する。これにより、サンギア８１とプラネタリキャリア８３とが一体的に回転し、トルクコンバータ７の出力軸と駆動軸９４とが直結して後進走行となる。フォワードブレーキ８４またはリバースクラッチ８５断接切換駆動するための作動液圧を制御するソレノイドバルブ（図示せず）は、制御信号ｍを受けてその開度を変化させる流量制御弁である。
【００２２】
非走行レンジであるＮレンジ、Ｐレンジでは、フォワードブレーキ８４及びリバースクラッチ８５をともに切断する。
【００２３】
ＣＶＴ９は、駆動プーリ９１及び従動プーリ９２と、両プーリ９１、９２に巻き掛けられたベルト９３とを要素とする。駆動プーリ９１は、駆動軸９４に固定した固定シーブ９１１と、駆動軸９１上にローラスプラインを介して軸方向に変位可能に支持させた可動シーブ９１２と、可動シーブ９１２の後背に配設された液圧サーボ９１３とを有しており、液圧サーボ９１３を操作し可動シーブ９１２を変位させることを通じて変速比を無段階に変更できる。並びに、従動プーリ９２は、従動軸９５に固設した固定シーブ９２１と、従動軸９５上にローラスプラインを介して軸方向に変位可能に支持させた可動シーブ９２２と、可動シーブ９２２の後背に配設された液圧サーボ９２３とを有しており、液圧サーボ９２３を操作し可動シーブ９２２を変位させることを通じてトルク伝達に必要なベルト推力を与える。
【００２４】
走行レンジを操作するべくフォワードブレーキ８４またはリバースクラッチ８５に供給される作動液（作動油）、また変速比を操作するべく液圧サーボ９１３、９２３に供給される作動液を吐出する液圧ポンプ（図示せず）は、内燃機関のクランクシャフトからトルクの伝達を受けて稼働する、既知の機械式（非電動式）のものである。この作動液は、トルクコンバータ７に用いられる流体と共通である。
【００２５】
本実施形態の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００２６】
入力インタフェースには、車両の実車速を検出する車速センサから出力される車速信号ａ、クランクシャフトの回転角度及びエンジン回転数を検出するエンジン回転センサから出力されるクランク角信号（Ｎ信号）ｂ、アクセルペダルの踏込量またはスロットルバルブ３２の開度をアクセル開度（いわば、要求負荷）として検出するセンサから出力されるアクセル開度信号ｃ、ブレーキペダルに加えられる踏力をマスタシリンダにおいて変換して得られる液圧力であるマスタシリンダ圧を検出するセンサから出力されるブレーキ踏量信号ｄ、吸気通路３（特に、サージタンク３３）内の吸気温及び吸気圧を検出する温度・圧力センサから出力される吸気温・吸気圧信号ｅ、車両が現在所在している路面の勾配や車両の加速度を検出する加速度センサから出力される加速度信号ｆ、シフトレバーのレンジを知得するためのセンサ（シフトポジションスイッチ）から出力されるシフトレンジ信号ｇ、吸気カムシャフトまたは排気カムシャフトの複数のカム角にてカム角センサから出力されるカム角信号（Ｇ信号）ｈ等が入力される。
【００２７】
出力インタフェースからは、点火プラグ１２のイグナイタに対して点火信号ｉ、インジェクタ１１に対して燃料噴射信号ｊ、スロットルバルブ３２に対して開度操作信号ｋ、ロックアップクラッチ７３の断接切換用のロックアップソレノイドバルブに対して開度制御信号ｌ、フォワードブレーキ８４またはリバースクラッチ８５の断接切換用のソレノイドバルブに対して開度制御信号ｍ、ＣＶＴ９に対して変速比制御信号ｎ等を出力する。
【００２８】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミング、トルクコンバータ７のロックアップを行うか否か、自動変速機８、９の変速比といった各種運転パラメータを決定する。運転パラメータの決定手法自体は、既知のものを採用することが可能である。しかして、ＥＣＵ０は、運転パラメータに対応した各種制御信号ｉ、ｊ、ｋ、ｌ、ｍ、ｎを出力インタフェースを介して印加する。
【００２９】
また、ＥＣＵ０は、内燃機関の始動（冷間始動であることもあれば、アイドルストップからの復帰であることもある）時において、スタータモータ（セルモータ、図示せず）に制御信号ｏを入力し、スタータモータのピニオンギアをドライブプレート（ＡＴ車の場合。ＭＴ車であれば、フライホイール）外周のリングギアに噛合させて機関を回転させるクランキングを行う。クランキングは、初爆から連爆へと至り、エンジン回転数が冷却水温等に応じて定まる判定値を超えたときに（完爆したものと見なして）終了する。
【００３０】
図３に、本実施形態のＥＣＵ０が減速時の燃料カット及びアイドルストップに際して実行する処理の手順を示す。
【００３１】
ＥＣＵ０は、燃料カット条件が成立したときに（ステップＳ１）、燃料カットを開始（ステップＳ２）、即ち気筒１におけるインジェクタ１１からの燃料噴射及び点火プラグ１２による点火を停止する燃料カットを開始する。ステップＳ１では、エンジン回転数が燃料カット許可回転数以上あり、かつアクセルペダルの踏込量が０または０に近い所定値以下となった等を以て、燃料カット条件が成立したものと判断する。
【００３２】
燃料カットの開始後、燃料カット終了条件が成立した暁には（ステップＳ３）、燃料カットを終了する（ステップＳ５）。ステップＳ３では、アクセルペダルの踏込量が所定値を上回った、またはエンジン回転数が燃料カット復帰回転数まで低下した等を以て、燃料カット終了条件が成立したものと判断する。
【００３３】
但し、現在車両が所在している路面が下り勾配であるならば（ステップＳ４）、燃料カット終了条件が成立しているとしても燃料カットを継続する。路面の勾配は、車速センサを介して検出される車両の加速度（または、減速度）と、加速度センサを介して検出される加速度とのずれから演算する。車速センサは、車軸１０３の回転を基に車速を知得する。他方、加速度センサは、車両に作用する加速度そのものを検知するもので、車両の走行速度のみならず路面の勾配の影響をも受ける。後者から前者を減殺すれば、車両が所在する路面の勾配を算出することができる。
【００３４】
燃料カット復帰回転数は、内燃機関のアイドル回転数と同等であるか、それよりも高い。つまり、燃料カットからの復帰は、内燃機関が未だ回転を続けている状態で行われる。このため、ステップＳ５では、スタータモータによるクランキングは不要であり、気筒１におけるインジェクタ１１からの燃料噴射及び点火プラグ１２による点火を再開さえすれば内燃機関を再始動できる。
【００３５】
また、ＥＣＵ０は、アイドルストップ条件が成立したときに（ステップＳ８）、気筒１におけるインジェクタ１１からの燃料噴射及び点火プラグ１２による点火を停止するアイドルストップを開始する（ステップＳ９）。ステップＳ８では、車両の車速が閾値以下であり、シフトポジションが走行レンジであり（ＡＴ車の場合）、ブレーキペダルが踏み込まれておりマスタシリンダ圧が所定値以上である（加えて、車載バッテリの電圧が所定以上であり、内燃機関の冷却水温が所定以上高い）等の諸条件がおしなべて充足されたことを以て、アイドルストップ条件が成立したものと判断する。
【００３６】
アイドルストップ条件の一つである車速の閾値について補足すると、本実施形態では、現在車両が所在している路面が下り勾配の場合、そうでない場合と比べて車速の閾値を高く設定する。さらに、当該閾値は、路面の下り勾配の度合いが大きいほど高くする。
【００３７】
ステップＳ８では、車両が降坂路上にある場合に、平坦路上または登坂路上と比較して高い車速からアイドルストップに突入する。しかも、その路面の下り勾配の度合いが大きいほど、より高い車速からアイドルストップに突入する。
【００３８】
アイドルストップの開始後、アイドルストップ終了条件が成立した暁には（ステップＳ１０）、アイドルストップを終了する（ステップＳ１１）。ステップＳ１０では、シフトポジションが非走行レンジに変更された（ＡＴ車の場合）、ブレーキペダルの踏み込みが緩められてマスタシリンダ圧が再始動用の低位判定値以下に低下した、あるいは逆にブレーキペダルの踏込量が強められてマスタシリンダ圧が再始動用の高位判定値以上に上昇した、アクセルペダルが踏まれた、内燃機関の停止から所定時間（例えば、３分）が経過した、等のうちの何れかを以て、アイドルストップ終了条件が成立したものと判断する。
【００３９】
燃料カットからの復帰とは異なり、アイドルストップからの再始動は、エンジン回転数がアイドル回転数未満に低下しているか、内燃機関の回転が停止している状態で行われる。このため、ステップＳ１１では、スタータモータによるクランキングを行い、気筒１におけるインジェクタ１１からの燃料噴射及び点火プラグ１２による点火を再開して内燃機関を再始動する。
【００４０】
ＣＶＴ９を搭載した車両においては、車速がある程度以上高い場合に、常時トルクコンバータ７をロックアップしている。減速時には、このロックアップを解除する。ＥＣＵ０は、車速が規定値まで低下したときに（ステップＳ６）、トルクコンバータ７におけるロックアップクラッチ７３の締結を解除する（ステップＳ７）。上記の車速の規定値は、車両が所在している路面の勾配に応じて異なる。降坂路上におけるロックアップの解除と、平坦路上または登坂路上におけるロックアップの解除とでは、前者の方が後者よりも車速が高い（例えば、前者は２０ｋｍ／ｈ、後者は１７ｋｍ／ｈ）。
【００４１】
図４に、降坂路上での減速時のエンジン回転数の推移（図中、太破線）の例と、平坦路上または登坂路上での減速時のエンジン回転数の推移（図中、細実線）の例とをそれぞれ示している。
【００４２】
降坂路上における減速時には、燃料カットの開始（時点ｔ0）後、燃料カットからの復帰即ち気筒１への燃料供給の再開はなされず、燃料カットのままアイドルストップ条件が成立する。並びに、内燃機関の回転が停止する前に、トルクコンバータ７のロックアップが解除される。ロックアップの解除（時点ｔ1）により、車軸１０３から自動変速機９、８及びトルクコンバータ７を介して内燃機関のクランクシャフトに伝達されるトルクが失われ、内燃機関の回転は速やかに停止するが、一方で車軸１０３の惰性回転が降坂路上でより長く維持され、車両がより長い距離走行し続ける状態となる。
【００４３】
平坦路上または登坂路上における減速時には、トルクコンバータ７のロックアップが解除されるよりも先に、燃料カット終了条件が成立して気筒１への燃料供給が再開（時点ｔ2）される。そして、内燃機関の燃焼運転中にトルクコンバータ７のロックアップが解除（時点ｔ3）され、しかる後アイドルストップ条件が成立してアイドルストップが開始（時点ｔ4）されて、内燃機関の回転が停止するに至る。
【００４４】
本実施形態では、少なくとも車速が閾値以下となったことを条件として内燃機関のアイドリングを停止する車両を制御するものであって、車両が所在している路面が下り勾配の場合には、そうでない場合と比較して前記閾値を高く設定することを特徴とするアイドルストップ車両の制御装置０を構成した。
【００４５】
車両が下り勾配の降坂路上に所在しているときには、内燃機関の運転を停止したとしても、車両はなお走り続けようとし、即時には停止しない。換言すれば、車速が高い段階でアイドルストップを開始したとしても、運転者が所望する停車位置に違和感なく車両を停止させることが可能である。本実施形態によれば、下り勾配の降坂路上において、気筒１に燃料を供給しないアイドルストップ期間を実効的に延長することができ、燃費のより一層の向上に寄与し得る。
【００４６】
加えて、前記閾値を、車両が所在している路面の下り勾配の度合いが大きいほど高く設定することとしているため、勾配の急な降坂路上におけるアイドルストップ期間を引き延ばして、燃料消費を低減せしめることができる。
【００４７】
また、内燃機関が出力する駆動力をトルクコンバータ７を介して変速機８、９に入力し車軸１０３に伝達する車両にあって、少なくともエンジン回転数が燃料カット許可回転数以上ある状況でアクセルペダルの踏込量が０または０に近い所定値以下となったことを条件として内燃機関の気筒１への燃料供給を遮断する燃料カットを実行するとともに、車両が所在している路面が下り勾配の場合には、燃料カットの開始後内燃機関が停止する前に内燃機関と車軸１０３との間に介在するトルクコンバータ７のロックアップを解除し、かつ内燃機関の停止まで燃料供給を再開しないものとしているため、停止しようとする内燃機関と車軸１０３との（トルクコンバータ７のロックアップによる）直結を切り離して車両をより長い時間惰性で走行させることができ、アイドルストップ期間をさらに延長することが可能となる。
【００４８】
なお、本発明は以上に詳述した実施形態に限られるものではない。各部の具体的構成や処理の手順等は、本発明の趣旨を逸脱しない範囲で種々変形が可能である。
【産業上の利用可能性】
【００４９】
本発明は、アイドルストップ車両の制御に利用できる。
【符号の説明】
【００５０】
０…制御装置（ＥＣＵ）
１…気筒
１１…インジェクタ
７…トルクコンバータ
７３…ロックアップクラッチ
１０３…車軸
ａ…車速信号
ｆ…加速度信号
【図１】
2014040805.tif 000003
【図２】
2014040805.tif 000004
【図３】
2014040805.tif 000005
【図４】
2014040805.tif 000006